(57)【要約】      （修正有）【課題】ケース表面側にソーラーパネルを装着して充電できるようにすることにより維持コストを安くすることができる電熱式ライターを提供する。【解決手段】電熱式ライター１は、本体ケース２内に、充電式電池３と、抵抗線発熱部５と、発熱部操作スイッチ６と、ＬＥＤ灯７と、ＬＥＤ点灯スイッチ８と、ＵＳＢ端子部９とを配設すると共に、本体ケース２の表面側にソーラーパネル４ａを装備したソーラーモジュール４を備えている。上記の発熱部操作スイッチ６は、比較的弱い力による第１段階でのスライド操作と、この第１段階よりも強い力による第２段階でのスライド操作との２段階操作によって、スイッチオンする。これにより、幼児が勝手にスライド操作して抵抗線発熱部５を発熱させるような危険性を回避することができ、安全性を確保できる。【選択図】図１
0003179127.tif 000002
【実用新案登録請求の範囲】
【請求項１】
充電式電池と、抵抗線発熱部と、発熱部操作スイッチと、充電式電池に充電を行なうソーラーモジュールとを備えてなる電熱式ライター。
【請求項２】
発熱部操作スイッチは、可動接点付きスイッチ本体と、非着火位置から着火位置までスライド可能なスライド操作板と、スライド操作板と一体に移動するスイッチ押し部材と、スイッチ押し部材をスライド操作板の非着火位置に付勢するバネとからなるもので、スライド操作板をバネ付勢力に抗して非着火位置から着火位置側へスライドさせる時に、着火位置の若干手前でスイッチ押し部材の先端部がスイッチ本体の可動接点に当接した状態ではスイッチオフであるが、スライド操作板をそれまで以上の力でスライドさせてスイッチ押し部材の先端部がスイッチ本体の可動接点を押動することによりスイッチオンとなり、抵抗線発熱部を発熱させるようにしてなる請求項１に記載の電熱式ライター。
【請求項３】
抵抗線発熱部は、スライド操作板が非着火位置にある時はスライド操作板によって隠蔽され、スライド操作板を着火位置までスライドさせることにより、隠蔽状態から解放されて露出状態となるようにした請求項２に記載の電熱式ライター。
【請求項４】
ＬＥＤ灯及びこれを点灯させるＬＥＤ点灯スイッチを備え、発熱部操作スイッチがオフ状態の時にＬＥＤ灯を点灯できるようにしてなる請求項１〜３の何れかに記載の電熱式ライター。
【請求項５】
ＵＳＢ端子部を備え、このＵＳＢ端子部を、アダプタを介してパソコン等の他の機器のＵＳＢ端子部に接続することによって、充電を行なえるようにしてなる請求項１〜４の何れかに記載の電熱式ライター。
【考案の詳細な説明】
【技術分野】
【０００１】
本考案は、電池を内蔵し、抵抗発熱部へ通電して、煙草などへの着火に使用する電熱式ライターに関する。
【背景技術】
【０００２】
電熱式ライターは、内蔵した電池の電気エネルギーをニクロム線等による抵抗線発熱部へ通電して熱エネルギーに変換し、この発熱部に煙草などを接触させて着火源として利用するものであり、その電池として、乾電池が従来使用されている。
【考案の概要】
【考案が解決しようとする課題】
【０００３】
従来の電熱式ライターは、電源電池として乾電池を使用しているが、例えば煙草の着火に使用する場合、１回の着火でもかなりの電気エネルギーが消費されるため、比較的短期間に乾電池の交換が必要で、燃料ガスを使用する簡易ライターに比べて、非常にコスト高になっている。
【０００４】
本考案は、ケース表面側にソーラーパネルを装着して充電できるようにすることにより維持コストを安くすることができる電熱式ライターを提供することを目的とする。
【課題を解決するための手段】
【０００５】
上記課題を解決するための手段を、後述する実施形態の参照番号を付して説明すると、請求項１にかかる電熱式ライター１は、充電式電池３と、抵抗線発熱部５と、発熱部操作スイッチ６と、充電式電池３に充電を行なうソーラーモジュール４とを備えてなることを特徴とする。
【０００６】
請求項２は、請求項１に記載の電熱式ライターにおいて、発熱部操作スイッチ６は、可動接点１１付きスイッチ本体１２と、非着火位置から着火位置までスライド可能なスライド操作板１３と、スライド操作板１３と一体に移動するスイッチ押し部材１４と、スイッチ押し部材１４をスライド操作板１３の非着火位置に付勢するバネ（コイルバネ１５）とからなるもので、スライド操作板１３をバネ（コイルバネ１５）付勢力に抗して非着火位置から着火位置側へスライドさせる時に、着火位置の若干手前でスイッチ押し部材１４の先端部１４ａがスイッチ本体１２の可動接点１１に当接した状態ではスイッチオフであるが、スライド操作板１３をそれまで以上の力でスライドさせてスイッチ押し部材１４の先端部１４ａがスイッチ本体１２の可動接点１１を押動することによりスイッチオンとなり、抵抗線発熱部５を発熱させるようにしてなることを特徴とする。
【０００７】
請求項３は、請求項２に記載の電熱式ライターにおいて、抵抗線発熱部５は、スライド操作板１３が非着火位置にある時はスライド操作板１３によって隠蔽され、スライド操作板１３を着火位置までスライドさせることにより、隠蔽状態から解放されて露出状態となるようにしたことを特徴とする。
【０００８】
請求項４は、請求項１〜３の何れかに記載の電熱式ライターにおいて、ＬＥＤ灯７及びこれを点灯させるＬＥＤ点灯スイッチ８を備え、発熱部操作スイッチ６がオフ状態の時にＬＥＤ灯７を点灯できるようにしてなることを特徴とする。
【０００９】
請求項５は、請求項１〜４の何れかに記載の電熱式ライターにおいて、ＵＳＢ端子部９を備え、このＵＳＢ端子部９を、アダプタ２１を介してパソコン２２等の他の機器のＵＳＢ端子部２３に接続することによって、充電を行なえるようにしてなることを特徴とする。
【考案の効果】
【００１０】
上記解決手段による考案の効果を、後述する実施形態の参照番号を付して説明すると、請求項１に係る考案の電熱式ライターによれば、充電式電池３と、抵抗線発熱部５と、発熱部操作スイッチ６と、充電式電池３に充電を行なうソーラーモジュール４とを備えているから、発熱部操作スイッチ６を閉成操作して抵抗線発熱部５を発熱させることにより、煙草等への着火を行なうことができる一方、ソーラーモジュール４によって充電式電池３が随時充されるから、電池の交換が不要で、維持コストも大幅に安くなる。
【００１１】
請求項２に係る考案の電熱式ライターによれば、発熱部操作スイッチ６は、比較的弱い力による第１段階でのスライド操作と、第１段階よりも強い力による第２段階でのスライド操作との２段階操作によって、スイッチオンするようになっているから、幼児が勝手にスライド操作して抵抗線発熱部５を発熱させるような危険性を回避することができ、安全性を確保できる。
【００１２】
請求項３に係る考案の電熱式ライターによれば、抵抗線発熱部５を使用しない時には抵抗線発熱部５に塵等が溜まることがなく、抵抗線発熱部５を清浄状態に保つことができ、また抵抗線発熱部５を使用した後は、その抵抗線発熱部５が直ちにスライド操作板１３で隠蔽されるから、加熱された抵抗線発熱部５に過って手指を触れるおそれがなく、安全となる。
【００１３】
請求項４に係る考案の電熱式ライターによれば、ＬＥＤ灯７とＬＥＤ点灯スイッチ８を備えているから、発熱部操作スイッチ６がスイッチオフの状態から、ＬＥＤ点灯スイッチ８の押しボタン１９を押すことにより、ＬＥＤ灯７を点灯させて、電灯として使用できる。
【００１４】
請求項５に係る考案の電熱式ライターによれば、ＵＳＢ端子部９を、アダプタ２１を介してパソコン２２等の他の機器のＵＳＢ端子部２３に接続することによって、簡単に充電を行なうことができる。
【図面の簡単な説明】
【００１５】
【図１】(a) は本考案の一実施形態による電熱式ライターを表側から見た斜視図であり、(b) は同ライターの底面図、(c) は同ライターの基本構成図である。
【図２】(a) 〜(c) は同上のライターにおける発熱部操作スイッチの動作を説明する説明図である。
【図３】発熱部操作スイッチの可動接点付きスイッチ本体の拡大断面図である。
【図４】同上のライターのＵＳＢ端子部をパソコンのＵＳＢ端子部に接続している状態を示す説明図である。
【考案を実施するための形態】
【００１６】
以下に本考案の好適な実施形態について図面を参照しながら説明すると、図１の(a) は本考案に一実施形態に係る電熱式ライター１を表側から見た斜視図、(b) は同ライター１の底面図、(c) は同ライター１の基本構成図である。電熱式ライター１は、図１の(a) 〜(c) から分かるように、本体ケース２内に、充電式電池３と、抵抗線発熱部５と、発熱部操作スイッチ６と、ＬＥＤ灯７と、ＬＥＤ点灯スイッチ８と、ＵＳＢ端子部９とを配設すると共に、本体ケース２の表面側にソーラーパネル４ａを装備したソーラーモジュール４を備えている。
【００１７】
充電式電池３は、例えば内蔵リチウムイオン電池からなるもので、図示は省略するが、本体ケース２内の電池収納部に装着されて内蔵されている。この充電式電池３としては、ニッケル水素電池、その他公知のものを使用することができる。
【００１８】
抵抗線発熱部５は、ニクロム線等により構成されたもので、図１の(c) に示すように、充電式電池３からの配線が発熱部操作スイッチ６を介して接続され、発熱部操作スイッチ６の着火操作によって接点６ａが閉成されると、抵抗線発熱部５に通電され、この抵抗線発熱部５が発熱し、煙草等を抵抗線発熱部５に接触させることにより着火が行なわれる。尚、図１の(c) に示すように、抵抗線発熱部５に対応する部分の本体ケース２には開口部１０が設けてある。
【００１９】
発熱部操作スイッチ６について、図１の(b) ，(c) 及び図２の(a) 〜(c) により詳しく説明すると、このスイッチ６は、可動接点１１付きのスイッチ本体１２（図２参照）と、図１の(c) の実線で示す非着火位置から同図の仮想線で示す着火位置までスライド可能なスライド操作板１３と、このスライド操作板１３と一体に移動するスイッチ押し部材１４（図２参照）と、このスイッチ押し部材１４をスライド操作板１３の非着火位置に付勢するコイルバネ１５とからなるもので、スライド操作板１３を、コイルバネ１５の付勢力に抗して非着火位置から着火位置側へスライドさせる時に、着火位置の若干手前でスイッチ押し部材１４の先端部１４ａがスイッチ本体１２の可動接点１１に当接した状態ではスイッチオフである（図２の(b) 参照）が、スイッチ押し部材１４をコイルバネ１５の付勢力に抗してそれまで以上の強い力で更にスライドさせて、スイッチ押し部材１４の先端部１４ａがスイッチ本体１２の可動接点１１を押動することによってはじめてスイッチオンとなり（図２の(c) 参照）、抵抗線発熱部５を発熱させるようになっている。
【００２０】
スライド操作板１３の表面側には、図１の(b) 及び(c) に示すように、滑り止めを施した指当て部１３ａが設けてあって、これに手指を当ててスライド操作板１３を非着火位置から着火位置までスライド操作するようになっている。また図２の(a) 〜(c) において、１６は本体ケース２においてスライド操作板１３のスライド方向に沿って設けられたガイドで、スライド操作板１３を非着火位置から着火位置まで案内する。１６ｓはガイド１６の終端で、ストッパー機能を有し、スライド操作板１３がガイド１６の終端まで来ると、スライド操作板１３はそこで停止される。
【００２１】
上記発熱部操作スイッチ６の作用を図２の(a) 〜(c) によって説明すると、スライド操作板１３は、通常時、図１の(b) ，(c) 及び図２の(a) に示すように、コイルバネ１５によって非着火位置に付勢されている。しかして、スライド操作板１３を普通の力（幼児でもスライドさせることができるような比較的弱い力）で着火位置側へスライドさせると、図２の(b) に示すように、スライド操作板１３と一体を成すスイッチ押し部材１４がコイルバネ１５を収縮させて着火位置側へ移動し、着火位置の若干手前位置でスイッチ押し部材１４の先端部１４ａがスイッチ本体１２の可動接点１１に当接して、それ以上の移動が制限され、スイッチ本体１２は未だスイッチオフの状態にある。
【００２２】
即ち、この場合に、可動接点１１は、図３に示すように、スイッチ本体１２のホルダー１２ａ内で、スライド操作板１３を非着火位置に付勢するコイルバネ１５よりもバネ力の強いコイルバネ１７により付勢されており、従って、上記のようにスライド操作板１３を最初に普通の力で着火位置側へスライドさせると、スイッチ押し部材１４の先端部１４ａがスイッチ本体１２の可動接点１１に当接しても、可動接点１１は、コイルバネ１７の付勢力で図３の実線で示すようなスイッチオフの状態にある。
【００２３】
しかして、上記のようにスイッチ押し部材１４の先端部１４ａがスイッチ本体１２の可動接点１１に当接してスライド操作板１３が停止した状態から、スライド操作板１３を、それまで以上の強い力で更にスライドさせることによって、スイッチ本体１２の可動接点１１が、コイルバネ１５の付勢力に抗して図３の実線図示位置から仮想線図示位置へ後退して、その基端部１１ａがホルダー１２ａ内のメインスイッチに当接し、それによりスイッチ本体１２がスイッチオンの状態となってはじめて抵抗線発熱部５が発熱するようになっている。この時、スライド操作板１３は着火位置に到達し、この着火位置では、ガイド１６の終端１６ｓでのストッパー機能によって、スライド操作板１３は、それ以上移動することができなくなるから、スイッチの破損が防止される。
【００２４】
この場合、スライド操作板１３を着火位置側へ強くスライドさせてスイッチ本体１２がスイッチオンとなった状態でスライド操作板１３を所要時間（例えば１０秒間）以上押え続けると、抵抗線発熱部５の近傍に設けた警報ランプが複数回（例えば３回）点滅するようにして、その警報ランプが点滅すれば、スライド操作板１３を元の非着火位置に戻してスイッチ本体１２をスイッチオフにするように設定してもよく、そうすることにより抵抗線発熱部５の過熱を防止できると共に、節電を図ることができる。
【００２５】
上記のようにスライド操作板１３の着火位置で抵抗線発熱部５が発熱して、煙草等への着火を終えた後、それまで押さえ付けていた手指をスライド操作板１３から解放すれば、スライド操作板１３は、コイルバネ１５の付勢力によって、元の基点である非着火位置へ自動復帰することができる。
【００２６】
上述したように、この発熱部操作スイッチ６は、比較的弱い力による第１段階でのスライド操作と、この第１段階よりも強い力による第２段階でのスライド操作との２段階操作によって、スイッチオンするようになっているから、幼児が勝手にスライド操作して抵抗線発熱部５を発熱させるような危険性を回避することができ、安全性を確保できる。
【００２７】
また、上記抵抗線発熱部５は、図１の(c) から分かるように、スライド操作板１３が同図の実線で示す非着火位置にある時は、このスライド操作板１３で本体ケース２の開口部１０が閉鎖されることによって隠蔽された状態となり、またスライド操作板１３を同図の仮想線で示す着火位置までスライドさせると、その開口部１０が開放されて、抵抗線発熱部５が露出した状態となるから、抵抗線発熱部５を使用しない時には抵抗線発熱部５に塵等が溜まることがなく、抵抗線発熱部５を清浄な状態に保つことができ、そして抵抗線発熱部５を使用した後は直ぐその抵抗線発熱部５がスライド操作板１３で隠蔽されるから、加熱された抵抗線発熱部５に過って手指を触れて、火傷をするような危険性を回避でき、使用上の安全を確保できる。
【００２８】
また、この電熱式ライター１は、ＬＥＤ灯７とこれを点灯させるＬＥＤ点灯スイッチ８を備えているから、図１の(c) に示すように発熱部操作スイッチ６が開成されたスイッチオフの状態から、本体ケース２の開口部１８よりＬＥＤ点灯スイッチ８の押しボタン１９を押すと、本体ケース２の開口部２０からＬＥＤ灯７を点灯させることができる。この場合、押しボタン１９を押すごとに、点灯・消灯が切り替わるようになっている。
【００２９】
また、この電熱式ライター１はＵＳＢ端子部９を備えているから、図４に示すように、このＵＳＢ端子部９を、アダプタ２１を介して、例えばパソコン２２のＵＳＢ端子部２３に接続することにより、簡単に充電を行なうことができる。
【符号の説明】
【００３０】
１            電熱式ライター
２            本体ケース
３            充電式電池
４            ソーラーモジュール
５            抵抗線発熱部
６            発熱部操作スイッチ
７            ＬＥＤ灯
８            ＬＥＤ点灯スイッチ
９            ＵＳＢ端子部
１１          可動接点
１２          スイッチ本体
１３          スライド操作板
１４          スイッチ押し部材
１５          コイルバネ（バネ）
【図１】
0003179127.tif 000003
【図２】
0003179127.tif 000004
【図３】
0003179127.tif 000005
【図４】
0003179127.tif 000006